(57)【特許請求の範囲】
【請求項１】
建物の軒部に、該建物の換気空間と外部とを連通させる略下向きに開口した換気口が設けられており、
前記軒部の内部には、仕切材により、前記建物の外方に向かって突出する前側突出部と、上方に立ち上がる後側立ち上がり部とを有する通気経路が形成されているとともに、
前記仕切材には、前記通気経路とは別の通気経路となる複数の通孔が設けられていることを特徴とする換気構造。
【請求項２】
前記換気口は、前記軒部の長手方向に長尺のスリット状とされていることを特徴とする請求項１に記載の換気構造。
【請求項３】
前記換気口は、前記軒部の少なくとも２箇所に設けられていることを特徴とする請求項１又は２に記載の換気構造。
【請求項４】
前記軒部には、排気又は排水の少なくともいずれか一方を行う補助換気口が設けられていることを特徴とする請求項１乃至３のいずれか１項に記載の換気構造。
【請求項５】
前記通気経路の後側立ち上がり部の上端部には、前記建物の外方に向かって下る水返部が設けられていることを特徴とする請求項１乃至４のいずれか１項に記載の換気構造。
【請求項６】
請求項１乃至５のいずれか１項に記載の換気構造を備えていることを特徴とする建物。
【発明の詳細な説明】
【技術分野】
【０００１】
本発明は、建物の換気構造、及びこの換気構造を備えた建物に関するものである。
【背景技術】
【０００２】
近年の建物においては、建物本体の耐久性を高めるためなどの目的で、屋根裏などの換気が行える換気構造が多く実施されている。
【０００３】
例えば特許文献１に開示された換気構造では、雨仕舞いを考慮して、軒部の下側に換気口が設けられ、屋根裏空間と連通している。
【先行技術文献】
【特許文献】
【０００４】
【特許文献１】特開２００９−１３６７８号公報
【発明の概要】
【発明が解決しようとする課題】
【０００５】
しかしながら、特許文献１のような換気構造では、換気性能を高くしようとして換気口を大きくすると、この大きな換気口から風雨が吹き込んで雨仕舞い性能が低くなってしまい、雨仕舞い性能を高くしようとして換気口を小さくすると換気性能が低くなってしまうという問題があった。
【０００６】
そこで、本発明は、換気性能に優れているうえに、雨仕舞い性能にも優れている換気構造、及びこの換気構造を備えた建物を提供することを目的としている。
【課題を解決するための手段】
【０００７】
前記目的を達成するために、本発明の換気構造は、建物の軒部に、該建物の換気空間と外部とを連通させる略下向きに開口した換気口が設けられており、前記軒部の内部には、仕切材により、前記建物の外方に向かって突出する前側突出部と、上方に立ち上がる後側立ち上がり部とを有する通気経路が形成されていることを特徴とする。
【０００８】
ここで、前記換気口は、前記軒部の長手方向に長尺のスリット状とされているとよい。
【０００９】
また、前記換気口は、前記軒部の少なくとも２箇所に設けられていてもよい。
【００１０】
さらに、前記軒部には、排気又は排水の少なくともいずれか一方を行う補助換気口が設けられていてもよい。
【００１１】
また、前記仕切材には、前記通気経路とは別の通気経路となる複数の通孔が設けられていてもよい。
【００１２】
さらに、前記通気経路の後側立ち上がり部の上端部には、前記建物の外方に向かって下る水返部が設けられているとよい。
【００１３】
本発明の建物は、上記した本発明の換気構造を備えていることを特徴とする。
【発明の効果】
【００１４】
このような本発明の換気構造は、建物の軒部に、建物の換気空間と外部とを連通させる略下向きに開口した換気口が設けられており、軒部の内部には、仕切材により、建物の外方に向かって突出する前側突出部と、上方に立ち上がる後側立ち上がり部とを有する通気経路が形成された構成とされている。
【００１５】
こうした構成なので、換気口を大きくしても、通気経路の前側突出部と後側立ち上がり部とが、換気用空気の流入は許容し、雨水の浸入は邪魔するため、換気性能に優れているうえに、雨仕舞い性能にも優れたものとすることができる。
【００１６】
ここで、換気口が、軒部の長手方向に長尺のスリット状とされている場合は、換気口は、換気空間に向かう水平方向には短く、軒部の長手方向には長くなるので、換気性能と雨仕舞い性能との両方を考慮して、換気口の開口面積を大きくするのに有効である。
【００１７】
また、換気口は、軒部の少なくとも２箇所に設けられている場合は、換気口を１箇所のみに設ける場合に比べて換気性能を高めることができるし、それぞれの換気口の大きさを１箇所のみに設ける場合に比べて小さくして雨仕舞い性能をより高めることもできる。
【００１８】
さらに、軒部には、排気又は排水の少なくともいずれか一方を行う補助換気口が設けられている場合は、強い風雨を受けても、換気口から流入してきた風雨を補助換気口から逃すことができるので、台風などの暴風雨時にも対応することができる。
【００１９】
また、仕切材には、通気経路とは別の通気経路となる複数の通孔が設けられている場合は、この別の通気経路となる複数の通孔が設けられる分、換気性能を高めることができる。
【００２０】
さらに、通気経路の後側立ち上がり部の上端部には、建物の外方に向かって下る水返部が設けられている場合は、万一、通気経路の後側立ち上がり部の上端部を超えて雨水が上ってきた際も、水返部で換気空間への浸入を防ぐことができる。
【００２１】
このような本発明の建物は、上記した本発明の換気構造を備えた構成とされている。
【００２２】
こうした構成なので、上記した効果を奏する建物を構築することができる。
【図面の簡単な説明】
【００２３】
【図１】実施例１の換気構造を備えた建物の概略構成を示す斜視図である。
【図２】図１におけるＡ−Ａ線矢視拡大断面図であって、実施例１の換気構造の概略構成を説明するための説明図である。
【図３】実施例２の換気構造の概略構成を説明するための説明図である。
【図４】実施例２の換気構造に用いられる上側仕切材を説明するための説明図である。
【図５】（ａ）は、実施例３の換気構造に用いられる上側仕切材を説明するための説明図であり、（ｂ）は、（ａ）におけるＢ−Ｂ線矢視断面図である。
【図６】実施例４の換気構造の概略構成を説明するための説明図である。
【発明を実施するための形態】
【００２４】
以下、本発明を実施するための形態を、図面に示す実施例１〜４に基づいて説明する。
【実施例１】
【００２５】
先ず、実施例１の構成について説明する。
【００２６】
図１は、実施例１の換気構造を備えた建物１の概略構成を示している。
【００２７】
まず、この建物１は、図１に示したように、基礎１Ｂの上に、建物本体１Ａが構築されている。
【００２８】
この実施例１の換気構造では、図１及び図２に示したように、上面に屋根材２を貼設した野地板３の端部に固定手段としてのビス４，・・・により固定して設けられた上側ブラケット受材５と、溝型鋼の天井梁６の上側フランジ部に固定手段としてのボルト８，・・・及びナット９，・・・により固定して設けられた下側ブラケット受材７とに、固定手段としてのビス１０，・・・により、複数のブラケット１１，・・・が軒先に沿って間隔をあけて設けられている。
【００２９】
ここで、複数のブラケット１１，・・・は、その上側で、上部連結部１１ａにより、その下側で、外壁１３が雨垂れで汚れるのを防止する下部水切材１２により、一体に形成されており、下部水切材１２は、外壁１３及び桟材１３ａの上面に載置される。
【００３０】
また、固定手段としてのビス４，・・・は、上側ブラケット受材５と共に断面略Ｚ形の上側仕切材１５も固定しており、固定手段としてのビス１０，・・・は、複数のブラケット１１，・・・と共に断面略山形の下側仕切材１６も固定している。
【００３１】
そして、この上側仕切材１５と下側仕切材１６とによって、建物１の外方に向かって突出する前側突出部Ｋ１と上方に立ち上がる後側立ち上がり部Ｋ２とを有する通気経路が形成されている。
【００３２】
また、この通気経路の後側立ち上がり部Ｋ２を形成する下側仕切材１６の上端部には、建物１の外方に向かって下る水返部１６ａが設けられている。
【００３３】
さらに、複数のブラケット１１，・・・に軒カバー１４を嵌め込み、固定手段としてのビス１７，・・・で固定することにより、軒部Ｎが形成されている。
【００３４】
そして、軒カバー１４の下端部と下側仕切材１６との間には、軒部Ｎの長手方向に長尺のスリット状の略下向きに開口した換気空間としての屋根裏空間Ｙと連通する第１の換気口Ｅ１が形成されている。
【００３５】
また、軒カバー１４の上側の外側端部には、軒部Ｎの長手方向に長尺のスリット状の略下向きに開口した換気空間としての屋根裏空間Ｙと連通する第２の換気口Ｅ２も形成されている。
【００３６】
なお、天井梁６の上側フランジ部には、固定手段としてのボルト８，・・・及びナット９，・・・により、下側ブラケット受材７と共に垂木受材１８も固定されている。
【００３７】
そして、この垂木受材１８は、野地板３を支持する垂木１９，・・・を固定手段としてのビス２０，・・・による固定で支持している。
【００３８】
これにより、建物１の外部からの空気は、図２に示したように、矢印Ｗ１，Ｗ２の方向に流れて、雨仕舞いが確実になされたうえで、屋根裏空間Ｙの充分な換気が可能とされている。
【００３９】
次に、実施例１の作用効果について説明する。
【００４０】
このような実施例１の換気構造は、建物１の軒部Ｎに、建物１の換気空間としての屋根裏空間Ｙと外部とを連通させる軒部Ｎの長手方向に長尺のスリット状の略下向きに開口した第１の換気口Ｅ１と第２の換気口Ｅ２とが設けられている。
【００４１】
そして、軒部Ｎの内部には、上側仕切材１５及び下側仕切材１６により、建物１の外方に向かって突出する前側突出部Ｋ１と、上方に立ち上がる後側立ち上がり部Ｋ２とを有する通気経路が形成された構成とされている。
【００４２】
こうした構成なので、第１の換気口Ｅ１や第２の換気口Ｅ２の開口面積を大きくしても、通気経路の前側突出部Ｋ１と後側立ち上がり部Ｋ２とが、換気用空気の流入は許容し、雨水の浸入は邪魔するため、換気性能に優れているうえに、雨仕舞い性能にも優れたものとすることができる。
【００４３】
ここで、軒部Ｎには、換気口として、下側の第１の換気口Ｅ１と上側の第２の換気口Ｅ２とが設けられている。
【００４４】
このため、換気口を１箇所のみに設ける場合に比べて換気性能を高めることができるし、第１の換気口Ｅ１と第２の換気口Ｅ２のそれぞれの開口面積の大きさを１箇所のみに設ける場合に比べて小さくして雨仕舞い性能をより高めることもできる。
【００４５】
また、通気経路の後側立ち上がり部Ｋ２を形成する下側仕切材１６の上端部には、建物１の外方に向かって下る水返部１６ａが設けられている。
【００４６】
このため、万一、通気経路の後側立ち上がり部Ｋ２の上端部を超えて雨水が上ってきた際も、水返部１６ａで換気空間としての屋根裏空間Ｙへの浸入を防ぐことができる。
【００４７】
このような実施例１の建物１は、上記した実施例１の換気構造を備えた構成とされている。
【００４８】
こうした構成なので、上記した作用効果を奏する建物を構築することができる。
【実施例２】
【００４９】
次に、実施例２について説明する。
【００５０】
なお、実施例１で説明した内容と同一乃至均等な部分の説明については同一符号を付して説明する。
【００５１】
図３は、実施例２の換気構造の概略構成を示している。
【００５２】
この実施例２の換気構造では、図４に示したように、上側仕切材１５に複数の円状の通孔１５ａ，・・・が設けられ、前側突出部Ｋ１と後側立ち上がり部Ｋ２とで形成される通気経路とは別の通気経路が形成されていることが実施例１の換気構造と主に異なる。
【００５３】
このため、この別の通気経路となる複数の通孔１５ａ，・・・が設けられる分、換気性能を高めることができる。
【００５４】
なお、他の構成及び作用効果については、実施例１と略同様であるので説明を省略する。
【実施例３】
【００５５】
次に、実施例３について説明する。
【００５６】
なお、実施例１で説明した内容と同一乃至均等な部分の説明については同一符号を付して説明する。
【００５７】
図５（ａ）及び図５（ｂ）は、実施例３の換気構造に用いられる上側仕切材１５の概略構成を示している。
【００５８】
この実施例３の換気構造では、図５（ａ）及び図５（ｂ）に示したように、上側仕切材１５に複数のスリット状の通孔１５ｂ，・・・が設けられ、さらにこれら通孔１５ｂ，・・・の上側には、水返部１５ｃがそれぞれ設けられていることが実施例２の換気構造と主に異なる。
【００５９】
このため、通孔１５ｂ，・・・に水返部１５ｃがそれぞれ設けられている分、雨仕舞い性能を高めることができる。
【００６０】
なお、他の構成及び作用効果については、実施例１，２と略同様であるので説明を省略する。
【実施例４】
【００６１】
次に、実施例４について説明する。
【００６２】
なお、実施例１で説明した内容と同一乃至均等な部分の説明については同一符号を付して説明する。
【００６３】
図６は、実施例４の換気構造の概略構成を示している。
【００６４】
この実施例４の換気構造では、図６に示したように、上部連結部１１ａが切り欠かれることにより、上側ブラケット受材５の上端部と軒カバー１４の上側の内側端部との間に、軒部Ｎの長手方向に長尺のスリット状の略下向きに開口した軒部Ｎの内部空間と連通する補助換気口Ｅ３が設けられていることが実施例１の換気構造と主に異なる。
【００６５】
このため、強い風雨を受けても、第１の換気口Ｅ１や第２の換気口Ｅ２から流入してきた風雨による過剰な空気及び雨水を矢印Ｗ３で示したように補助換気口Ｅ３から排気及び排水して逃すことができるので、台風などの暴風雨時にも対応することができる。
【００６６】
なお、他の構成及び作用効果については、実施例１と略同様であるので説明を省略する。
【００６７】
以上、図面を参照して、本発明を実施するための形態について実施例１〜４をもとに詳述してきたが、具体的な構成は、上記した実施例１〜４に限らず、本発明の要旨を逸脱しない程度の設計的変更は、本発明に含まれる。
【００６８】
例えば、上記した実施例１〜４では、換気空間を屋根裏空間Ｙとして実施したが、これに限定されず、換気空間をバルコニーの床下空間などにして実施してもよい。
【００６９】
また、上記した実施例１〜４では、換気口として、第１の換気口Ｅ１と第２の換気口Ｅ２を設けて実施したが、これに限定されず、例えば、第１の換気口Ｅ１又は第２の換気口Ｅ２の片方だけを設けて実施してもよい。
【００７０】
さらに、上記した実施例１〜４では、第１の換気口Ｅ１、第２の換気口Ｅ２、補助換気口Ｅ３を、軒部Ｎの長手方向に長尺のスリット状として実施したが、これに限定されず、例えば、軒部Ｎの長手方向に沿った複数の円状などとして実施してもよい。
【符号の説明】
【００７１】
１      建物
１Ａ    建物本体
１Ｂ    基礎
２      屋根材
３      野地板
４      ビス（固定手段）
５      上側ブラケット受材
６      天井梁
７      下側ブラケット受材
８      ボルト（固定手段）
９      ナット（固定手段）
１０    ビス（固定手段）
１１    ブラケット
１１ａ  上部連結部
１２    下部水切材
１３    外壁
１３ａ  桟材
１４    軒カバー
１５    上側仕切材
１５ａ  円状の通孔
１５ｂ  スリット状の通孔
１５ｃ  水返部
１６    下側仕切材
１６ａ  水返部
１７    ビス（固定手段）
１８    垂木受材
１９    垂木
２０    ビス（固定手段）
Ｅ１    第１の換気口
Ｅ２    第２の換気口
Ｅ３    補助換気口
Ｋ１    前側突出部
Ｋ２    後側立ち上がり部
Ｎ      軒部
Ｙ      屋根裏空間（換気空間）
【図１】
0005524988.tif 000002
【図２】
0005524988.tif 000003
【図３】
0005524988.tif 000004
【図４】
0005524988.tif 000005
【図５】
0005524988.tif 000006
【図６】
0005524988.tif 000007